(57)【要約】【課題】浸水の有無を簡単に点検できる、低コストの通信ケーブル用クロージャを提供する。【解決手段】半割りスリーブ６と、その両端内側に配置される端面板５Ａ、５Ｂとを備えた通信ケーブル用クロージャにおいて、前記半割りスリーブ６は不透明の黒色樹脂材料で構成し、前記端面板５Ａ、５Ｂは透明又は半透明の樹脂材料で構成する。半割りスリーブ６は透明又は半透明なので、クロージャ３内に水が浸入した場合には端面板５Ａ又は５Ｂの外側から浸入した水を目視で確認できる。半割りスリーブ６は不透明の黒色樹脂材料で構成されているので、耐候性を確保できるとともに、内部の光ファイバ心線２Ａ、２Ｂ、２Ｃ等の紫外線劣化を防止できる。【選択図】図１
2015152694.tif 000002
【特許請求の範囲】
【請求項１】
半割りスリーブと、その両端内側に対向して配置される端面板とを備えた通信ケーブル用クロージャにおいて、前記半割りスリーブは不透明の黒色樹脂材料からなり、前記端面板は透明又は半透明の樹脂材料からなり、内部に水が浸入した場合に端面板の外側から浸入した水が目視で確認できるようになっていることを特徴とする通信ケーブル用クロージャ。
【請求項２】
対向して配置される端面板は、外部から端面板の内面に接触した水を視認できる程度以上の透明性を有する、透明又は半透明の樹脂材料で構成されていることを特徴とする請求項１記載の通信ケーブル用クロージャ。
【発明の詳細な説明】
【技術分野】
【０００１】
本発明は、浸水の有無を点検できる通信ケーブル用クロージャに関するものである。
【背景技術】
【０００２】
光ケーブルやメタルケーブルの接続部や分岐部は、水密性を有するクロージャ（筐体）によって保護されている。しかし、水密構造のクロージャであっても、組立時にミスがあったり、設置後に想定以上の外力が加わったりした場合には、クロージャ内に水が浸入することがある。クロージャ内に水が浸入すると、光ケーブルの場合は光ファイバの光損失の増加や機械的強度の低下が発生し、メタルケーブルの場合は絶縁性の低下が発生して、通信障害の原因となる。
【０００３】
このため、クロージャ内に水が浸入したか否かを監視し、事故発生前に対処することが求められる。そこで従来は、クロージャ内に、検査用光ファイバを導入するとともに、水に浸ると膨張して前記検査用光ファイバを屈曲する浸水検出器を設置しておき、さらに前記検査用光ファイバの一端（監視所）にＯＴＤＲを設置しておいて、クロージャ内に浸水があるとその部分の検査用光ファイバの曲げ損失が増加することから、これをＯＴＤＲで監視していて浸水の有無を検出する方式が採用されている（特許文献１）。
【０００４】
また、クロージャ内の浸水の有無を検出するものとしては、クロージャの端面板に、クロージャ内に浸入した水に接触する検出端子を複数設け、これらの検出端子間の電気的導通を外部から検査することで、浸水状態を検出する方式も提案されている（特許文献２）。
【先行技術文献】
【特許文献】
【０００５】
【特許文献１】特開２０１０−２１２７６７号公報
【特許文献２】特開２００９−７５３４８号公報
【特許文献３】特開平１０−１０３３１号公報
【発明の概要】
【発明が解決しようとする課題】
【０００６】
しかし、クロージャ内に浸水検出器を設置しておき、浸水により検査用光ファイバが屈曲されたことをＯＴＤＲで検出する方式は、浸水検出器、検査用光ファイバ、ＯＴＤＲ等を必要とするため、設備費が高くなるという難点がある。
【０００７】
また、クロージャの端面板に検出端子を設ける方式は、端面板に複数の検出端子を貫通させる必要があるため、クロージャの製造コストが高くなるという難点がある。
【０００８】
本発明の目的は、浸水の有無を簡単に点検できる低コストの通信ケーブル用クロージャを提供することにある。
【０００９】
クロージャ内の浸水の有無を簡単に点検するには、クロージャを透明材料で形成しておき、目視で浸水の有無を確認できるようにすることが考えられる。特許文献３には浸水点検の目的ではないがクロージャの半割りスリーブを透明にすることが開示されている。しかしクロージャを透明材料で形成すると、耐候性が低下するため長期使用が難しくなるだけでなく、クロージャ内の光ファイバ心線等も紫外線にさらされ、長期的には劣化のおそれがある。
【課題を解決するための手段】
【００１０】
そこで本発明は、半割りスリーブと、その両端内側に対向して配置される端面板とを備えた通信ケーブル用クロージャにおいて、前記半割りスリーブは不透明の黒色樹脂材料からなり、前記端面板は透明又は半透明の樹脂材料からなり、内部に水が浸入した場合に端面板の外側から浸入した水が目視で確認できるようになっていることを特徴とするものである。
【００１１】
本発明のクロージャにおける端面板は、外部から端面板の内面に接触した水を視認できる程度以上の透明性を有する、透明又は半透明の樹脂材料で構成されている必要がある。
【００１２】
対向して配置される、透明材料で構成された端面板の片端より懐中電灯等を用いて光を入射させ、これとは異なる反対端よりその光を出射させることによりクロージャ内部に浸水が有った場合には空間と液面との屈折率差を利用し浸水界面位置の視認性を向上させることや、クロージャを揺らすことで液体中を通過した光が出射端において光の干渉縞が発生することで浸水有無の高い視認性を得ることが可能である。
尚、クロージャの構造として、スリーブとその両端に配置される端面板及びケーブル導入部の止水材から構成されるクロージャの他、スリーブとケーブル導入部の止水材からのみで構成されるクロージャも存在する。端面板の一部や黒色スリーブ両端部の一部に内部視認用窓として透明又は半透明の樹脂材料を埋め込むなどをした場合でも内部の視認は可能ではあるが、窓が小さいと窓内の範囲にちょうど液面が存在する頻度は少なくなるため浸水視認性は格段と悪くなる上、検出端子の接地と同様にコストも高くなる。従って、クロージャの両端面における透明又は半透明材の領域は概スリーブ断面積と等しくすることが望ましく、スリーブとその両端に配置される端面板及びケーブル導入部の止水材から構成されるクロージャにおいては端面板全体を透明又は半透明材にすることが望ましい。
【発明の効果】
【００１３】
本発明によれば、端面板が透明又は半透明の樹脂材料で構成されているため、端面板の外側からクロージャ内の浸水の有無を目視で確認できる。このため、浸水の有無の点検を簡単に効率よく行うことができる。また、半割りスリーブは従来同様、不透明の黒色樹脂材料で構成されているため、十分な耐候性を確保でき、長期使用が可能であるとともに、内部の光ファイバ心線等の紫外線劣化を防止できる。また、端面板は透明又は半透明の樹脂材料で構成されているが、その外周面は不透明な半割りスリーブによって覆われる状態となり、かつ太陽光線が当たりにくい位置にあるため、紫外線劣化が少なく、長期使用に耐えることができる。さらに、端面板及び半割りスリーブの形状は従来と同じでよいので、特別な金型を必要とせず、コストアップを抑えることができるとともに、製造も簡単である。また、通常端面板は通信ケーブルとケーブルを封止するためのシール材やゴム材をセットし組み立てを行う必要があるが、端面板が透明又は半透明の樹脂材料で構成されていることで端面板の組立て後にもシール材やゴム材のセット忘れやセットミスを端面板外部より確認することも可能である。
【図面の簡単な説明】
【００１４】
【図１】（Ａ）は本発明に係るクロージャの一実施例を使用状態で示す断面図、（Ｂ）同クロージャの半割りスリーブの端面図、（Ｃ）は同クロージャの一方の端面板の端面図、（Ｄ）は同クロージャの他方の端面板の端面図。
【図２】図１のクロージャを傾けて浸水を確認する状態を示す断面図。
【発明を実施するための形態】
【実施例】
【００１５】
以下、本発明の一実施例を、図面を参照して詳細に説明する。図１において、１Ａは一方の光ケーブル、１Ｂ、１Ｃは前記一方の光ケーブル１Ａに接続される他方の光ケーブル、２Ａ、２Ｂ、２Ｃはそれぞれ光ケーブル１Ａ、１Ｂ、１Ｃの光ファイバ心線、３は光ファイバ心線２Ａと光ファイバ心線２Ｂ、２Ｃの接続部を収納する心線接続部収納トレイ、４は光ケーブル１Ａと光ケーブル１Ｂ、１Ｃの接続部を保護するクロージャである。なお、これは光ケーブルの接続形態の一例であり、光ケーブルの接続形態はこれに限られるものではない。
【００１６】
クロージャ４は、一方の光ケーブル１Ａを把持するように配置される一方の端面板５Ａと、他方の光ケーブル１Ｂ、１Ｃを把持するように配置される他方の端面板５Ｂと、端面板５Ａ、５Ｂに跨るように配置される半割りスリーブ６とを備えている。一方の端面板５Ａは分割面Ｄ１で、他方の端面板５Ｂは分割面Ｄ２、Ｄ３で分割できるようになっており、半割りスリーブ６は分割面Ｄ４で分割できるようになっている。半割りスリーブ６は締付けバンド７により外周を締め付けられて筒状に保持される。クロージャ４の各部材の境目及び端面板と光ケーブルの間には、防水用のシール部材が介在されるが、図示を省略してある。
【００１７】
このクロージャ４の特徴は、半割りスリーブ６が不透明の黒色樹脂材料で構成され（この点は従来と同じ）、端面板５Ａ、５Ｂが透明又は半透明の樹脂材料で構成されていることである。
【００１８】
このような構成にすると、半割りスリーブ６は不透明の黒色樹脂材料（樹脂にカーボンブラック等を配合したもの）で構成されているため、十分な耐候性を確保でき、長期使用が可能であるとともに、内部の光ファイバ心線等に光が当たるのを防止できるため、光ファイバ心線等の紫外線劣化を防止できる。また、端面板５Ａ、５Ｂは透明又は半透明の樹脂材料で構成されているため、クロージャ４内に水が浸入した場合には、端面板５Ａ又は５Ｂの外側から浸入した水を目視で確認することができる。このため浸水の有無を、測定器などを使用することなく、きわめて簡単に点検することができる。さらに、端面板５Ａ、５Ｂ及び半割りスリーブ６は従来と同じ形状でよいので、特別な金型を用意する必要がなく、コストアップを抑えることができるとともに、製造も簡単である。
【００１９】
クロージャ４は通常、中心軸線が水平になるように設置されるので、浸水量が少ないときはそのままでは浸水の有無の確認が難しい場合があるが、その場合でも図２に示すようにクロージャ４の中心軸線を傾ければ、浸水が低い方に集まるので、低い方の端面板の外側から（矢印Ｐ方向から）目視することにより、浸水Ｗがあれば、それを容易に確認することが可能である。
【００２０】
なお、透明又は半透明の端面板を構成する樹脂材料としては、ポリカーボネートを使用することが好ましい。この場合、端面板部分からのクロージャ内部への紫外線透過を可能な限り避けるため、端面板を構成する樹脂材料には透明度を劣化させない程度に紫外線吸収剤を混入させておくことが望まれる。
【符号の説明】
【００２１】
１Ａ、１Ｂ、１Ｃ：光ケーブル
２Ａ、２Ｂ、２Ｃ：光ファイバ心線
３：心線接続部収納トレイ
４：クロージャ
５Ａ、５Ｂ：端面板
６：半割りスリーブ
７：締付けバンド
【図１】
2015152694.tif 000003
【図２】
2015152694.tif 000004